(57)【要約】【課題】冷蔵庫本体内を左右に仕切って冷凍区画と冷蔵区画とを設けたものにあって、特に縦長の冷凍区画の上下部における良好な温度制御を行うことができると共に、ファン停止時の温度変動を小さく抑制する。【解決手段】上下に配置された冷凍室７と切替室８とを、夫々専用のエバ３３，３５及びファン３４，３６によって冷却することができるので、冷凍区画５における上下の良好な温度分布を得ることができる。また、各エバ３３，３５の輻射冷却による冷却効果により、ファン３４，３６の停止時における冷凍区画５上側の温度変動を小さくすることができる。【選択図】  図１
2008020159.tif 000002
【特許請求の範囲】
【請求項１】
冷蔵庫本体内を縦方向に延びる断熱仕切壁により左右に仕切ることにより、前記冷蔵庫本体内に、冷凍温度帯とされる冷凍区画と、冷蔵温度帯とされる冷蔵区画とを設けるようにした冷蔵庫であって、
前記冷蔵庫本体の前記冷蔵区画の背面側に、該冷蔵区画内を冷却するための冷蔵室用蒸発器及びファンを設け、
前記冷凍区画の上下部に夫々第１の冷凍室と第２の冷凍室とを設けると共に、
前記冷蔵庫本体の前記冷凍区画の背面側の上下部に夫々位置して、前記第１の冷凍室を冷却するための第１冷凍室用蒸発器及びファンと、第２の冷凍室を冷却するための第２冷凍室用蒸発器及びファンとを設けたことを特徴とする冷蔵庫。
【請求項２】
前記冷凍区画には、前記第１の冷凍室と前記第２の冷凍室との間に位置して製氷室が設けられ、この製氷室は、前記第１冷凍室用蒸発器及びファンにより冷却されるように構成されていることを特徴とする請求項１記載の冷蔵庫。
【請求項３】
前記冷蔵庫本体には、前記第１冷凍室用蒸発器と第２冷凍室用蒸発器と冷蔵室用蒸発器とが並列に接続された冷凍サイクルが設けられ、
前記冷凍サイクルには、前記３つの蒸発器に対する夫々の冷媒の流れを制御する冷媒流量調整手段が設けられていることを特徴とする請求項１又は２に記載の冷蔵庫。
【請求項４】
前記第２の冷凍室は、貯蔵室内の貯蔵温度帯を切替可能な切替室として構成されることを特徴とする請求項１乃至３の何れかに記載の冷蔵庫。
【請求項５】
前記冷蔵庫本体には、前記第１冷凍室用蒸発器及び第２冷凍室用蒸発器を直列接続した配管と、前記冷蔵室用蒸発器を接続した配管とが並列に接続された冷凍サイクルが設けられ、
前記冷凍サイクルには、前記第１冷凍室用蒸発器及び第２冷凍室用蒸発器を直列接続した配管と、前記冷蔵室用蒸発器を接続した配管とに対する夫々の冷媒の流れを制御する冷媒流量調整手段が設けられていることを特徴とする請求項１又は２に記載の冷蔵庫。
【請求項６】
前記冷凍サイクルには、前記第１冷凍室用蒸発器と第２冷凍室用蒸発器との間に絞り手段が設けられていることを特徴とする請求項５記載の冷蔵庫。
【発明の詳細な説明】
【技術分野】
【０００１】
本発明は、冷蔵庫本体内を断熱仕切壁により左右に仕切ることにより、冷凍区画と冷蔵区画とを設けるようにした冷蔵庫に関する。
【背景技術】
【０００２】
従来より、比較的大型の家庭用冷蔵庫においては、その本体内を縦方向に延びる断熱仕切壁により左右に仕切ることによって、前記冷蔵庫本体内に冷凍温度帯とされる冷凍区画と、冷蔵温度帯とされる冷蔵区画とを設けるようにした構成のものがある。この場合、前記冷凍区画は、例えば上下に３室に仕切られて、上から順に第１冷凍室、製氷室、第２冷凍室とされ、また、前記冷蔵区画は、例えば上下に２室に仕切られて、冷蔵室及び野菜室とされるようになっている。
【０００３】
この種の冷蔵庫においては、冷凍区画の下部背面側に設けられた蒸発器室内に該冷凍区画内を冷却するための冷凍用蒸発器及びファンを設けると共に、冷蔵区画の下部背面側に設けられた蒸発器室内に該冷蔵区画内を冷却するための冷蔵用蒸発器及びファンを設けるようにしたものがある（例えば特許文献１参照）。このものでは、冷凍区画の背壁部及び冷蔵区画の背壁部に、夫々複数の冷気吹出口を有する送風ダクトが上下方向に延びて設けられ、各蒸発器からの冷気が、ファンによって送風ダクトを通して冷気吹出口から各区画内に供給されるようになっている。この構成によれば、冷凍区画及び冷蔵区画の各々が、専用の蒸発器及びファンにより冷却されるので、各区画内を設定温度とするように効率的に冷却することができる。
【特許文献１】特開２００１−１５３５２５号公報
【発明の開示】
【発明が解決しようとする課題】
【０００４】
しかしながら、上記のものでは、特に冷凍区画は、縦方向に細長く構成されているため、蒸発器室から第１冷凍室の上部まで延びる送風ダクトが長くなり、冷凍区画の上部と下部とで温度のむらが生じやすいものとなっていた。また、ファンの停止時においては、冷気はその性質上、下方に移動しやすく、更に第２冷凍室はその背面部に位置する冷凍用蒸発器からの輻射冷却による影響を受けるため、第２冷凍室は低温が維持されるのに対し第１冷凍室の温度の上昇度合が大きくなる問題がある。
【０００５】
本発明は上記事情に鑑みてなされたものであり、その目的は、冷蔵庫本体内を左右に仕切って冷凍区画と冷蔵区画とを設けたものにあって、特に縦長の冷凍区画の上下部における良好な温度制御を行うことができると共に、ファン停止時の温度変動を小さく抑制することができる冷蔵庫を提供することにある。
【課題を解決するための手段】
【０００６】
本発明は、冷蔵庫本体内を縦方向に延びる断熱仕切壁により左右に仕切ることにより、前記冷蔵庫本体内に、冷凍温度帯とされる冷凍区画と、冷蔵温度帯とされる冷蔵区画とを設けるようにした冷蔵庫であって、前記冷蔵庫本体の前記冷蔵区画の背面側に、該冷蔵区画内を冷却するための冷蔵室用蒸発器及びファンを設け、前記冷凍区画の上下部に夫々第１の冷凍室と第２の冷凍室とを設けると共に、前記冷蔵庫本体の前記冷凍区画の背面側の上下部に夫々位置して、前記第１の冷凍室を冷却するための第１冷凍室用蒸発器及びファンと、第２の冷凍室を冷却するための第２冷凍室用蒸発器及びファンとを設けたことを特徴とする。
【発明の効果】
【０００７】
本発明によれば、冷凍区画に上下に配置された第１の冷凍室と第２の冷凍室とを、夫々専用の蒸発器及びファンによって冷却することができるので、各冷凍室を夫々目的とする温度となるように容易に制御することができる。このとき、上下に長い冷凍区画を１個の蒸発器により冷却するものと異なり、各蒸発器により冷却される領域（冷凍室）が縦方向に小さく済み、送風ダクトが上下に長くなることはない。更に、ファンの停止時においては、各蒸発器からの輻射冷却によって、第１の冷凍室および第２の冷凍室が冷却されるようになる。この結果、冷凍区画の上下部における良好な温度制御を行うことができると共に、ファン停止時の温度変動を小さく抑制することができるという優れた効果を得ることができる。
【発明を実施するための最良の形態】
【０００８】
＜第１実施例＞
以下、本発明の第１実施例について図１乃至図６を参照しながら説明する。図１は冷蔵庫本体１の構成を概略的に示す正面図である。図２は、図１中のＡ―Ａ線に沿う縦断側面図であり、図３はＢ−Ｂ線に沿う縦断側面図である。ここで、冷蔵庫本体１の外殻を構成する外箱２の内部に、夫々上下方向に長い矩形箱状をなす内箱３ａと３ｂとが左右に配設されている。この冷蔵庫本体１の外箱２と内箱３ａ，３ｂとの間、及び内箱３ａと３ｂとの間に、発泡断熱材が充填されるようになっており、左右の内箱３ａと３ｂとの間は、断熱仕切壁４とされている。こうして、冷蔵庫本体１内には、これを左右に画する断熱仕切壁４により、冷凍区画５及び冷蔵区画６が左右に形成されている。
【０００９】
この場合、冷蔵庫本体１左側部の冷凍区画５には、その上下部に冷凍室７及び切替室８（これらが本発明にいう「第１の冷凍室」及び「第２の冷凍室」となる）が設けられていると共に、冷凍室７と切替室８との間に位置して製氷室９が配設されている。右側部の冷蔵区画６の上下部には、冷蔵室１０と野菜室１１とが設けられている。尚、図示は省略しているが、前記冷凍室７及び切替室８並びに、冷蔵室１０内は、貯蔵物が載置される棚板により上下複数段に仕切られるようになっている。各室７〜１１の前面部には夫々独立した開閉扉１２〜１６（図２、図３参照）が設けられている。そのうち、製氷室９の扉１３及び野菜室１１の扉１６は前方へ引き出す引き出し式であり、他の扉１２、１４、１５は側部を支点にして前方へ開く回動式となっている。尚、扉１５の前面部には、後述する設定操作部２９（図５にのみ図示）が設けられている。
【００１０】
後述するように、前記冷蔵室１０及び野菜室１１は、例えば２〜４℃の冷蔵温度帯とされるようになっており、図３に示すように、これら両室１０，１１の間は、薄板状の熱伝導部材１７により上下に仕切られている。この熱伝導部材１７は、熱伝導率の高い例えばアルミニウムから構成されている。冷蔵室１０には、冷蔵室１０内の温度を検出するための冷蔵室温度センサ１８（図５にのみ図示）が設けられていると共に、冷蔵室１０の背部から天井部にかけて送風ダクト１９が設けられている。この送風ダクト１９には、冷蔵室１０内に送風するための吹出口１９ａが多段に形成されていると共に、下端部に冷蔵室１０内の空気を吸い込むための吸込口１９ｂが形成されている。
【００１１】
前記野菜室１１内には、上面が開放された野菜貯蔵容器２０が、扉１６の裏面側に連結されて出し入れ可能に設けられている。また、野菜室１１には、野菜貯蔵容器２０の上面を覆う上蓋としてのクリスパカバー２１が配設されている。このクリスパカバー２１は、図示しないストッパにより前方への移動不能に係止されているため、野菜貯蔵容器２０は、扉１６と共に引出されることで、その上面が開放されるようになっている。
【００１２】
一方、前記冷凍室７及び製氷室９は、共に例えば−１８〜−２２℃の冷凍温度帯とされるようになっており、図２に示すように、これら両室７，９は冷凍区画５にて連通した状態に設けられている。冷凍室７には、冷凍室７内の温度を検出するための冷凍室温度センサ２２（図５にのみ図示）が設けられていると共に、冷凍室７の背部から天井部にかけて送風ダクト２３が設けられている。この送風ダクト２３には、冷凍室７及び製氷室９内に送風するための吹出口２３ａが多段に形成されている。製氷室９内には、自動製氷装置（製氷皿２４のみ図示）が設けられている。また、製氷室９内の天井部には、アルミニウムからなる薄板状の熱伝導部材２５が設けられている。
【００１３】
前記製氷室９と切替室８との間は、断熱横仕切壁２６により上下に仕切られている。切替室８には、切替室８内の温度を検出するための切替室温度センサ２７（図５にのみ図示）が設けられていると共に、切替室８の背部には送風ダクト２８が設けられている。この送風ダクト２８には、切替室８内に送風するための吹出口２８ａが多段に形成されている。詳しくは後述するように、切替室８は、使用者の設定操作部２９の操作により、貯蔵室内の貯蔵温度帯を切替可能に構成されている。
【００１４】
図３に示すように、冷蔵室１０の背面側部には、前記送風ダクト１９に連通するように、カバー部材３０ａによって区画された冷蔵室用蒸発器室３０が設けられており、この蒸発器室３０内に冷蔵室用蒸発器３１（以下「Ｒエバ３１」と略す）が設けられている。これと共に、その上方に位置して冷蔵室用ファン３２（以下「Ｒファン３２」と略す）が設けられている。このＲファン３２が駆動されると、図１、図３に矢印で示すように、Ｒエバ３１により生成された冷気が、冷蔵室用蒸発器室３０の上部から送風ダクト１９を通して吹出口１９ａから冷蔵室１０内に供給される。そして、貯蔵物の冷却に供された後、冷蔵室１０内の冷気は、吸込口１９ｂを通って、再び冷蔵室用蒸発器室３０内の下部に戻されるという循環が行われるようになっている。
【００１５】
このようにＲファン３２が駆動されている場合、冷蔵室１０内には、熱伝導部材１７の上面と接触しながら奥の方向（図３中、右方）に流通する冷気の流れが生成されるようになる。前記野菜室１１は、冷蔵室１０からの熱伝導及び熱伝導部材１７からの輻射冷却により冷却されるようになっている。
【００１６】
これに対し、冷蔵庫本体１の冷凍区画５の背面側には、その上部に位置して冷凍室７を冷却するための第１冷凍室用蒸発器３３（以下「Ｆ１エバ３３」と略す）及びファン３４（以下「Ｆ１ファン３４」と略す）が設けられている。そして、下部に位置して切替室８を冷却するための第２冷凍室用蒸発器３５（以下「Ｆ２エバ３５」と略す）及びファン３６（以下「Ｆ２ファン３６」と略す）が配設されている。
【００１７】
詳細には、図２に示すように、冷凍室７の背面側部には、前記送風ダクト２３に連通するように、カバー部材３７ａによって区画された冷凍室用蒸発器室３７が設けられている。この蒸発器室３７内にＦ１エバ３３が設けられており、その上方に位置してＦ１ファン３４が配設されている。このＦ１ファン３４が駆動されると、図１、図２に矢印で示すように、Ｆ１エバ３３により生成された冷気が、冷凍室用蒸発器室３７の上部から送風ダクト２３を通して吹出口２３ａから冷凍室７及び製氷室９に供給され、貯蔵物の冷却に供された後、再び冷凍室用蒸発器室３７内の下部に戻されるという循環が行われるようになっている。このとき、製氷室９には、熱伝導部材２５の上面と接触しながら前方に流通する冷気の流れと、製氷皿２４を周回するような冷気の流れとが生成され、熱伝導部材２５及び製氷皿２４が冷却される。このとき、製氷皿２４は、熱伝導部材２５からの輻射冷却によっても冷却される。
【００１８】
前記切替室８の背面側部には、前記送風ダクト２８に連通するように、カバー部材３８ａによって区画された切替室用蒸発器室３８が設けられている。この蒸発器室３８内にＦ２エバ３５が設けられており、その上方に位置してＦ２ファン３６が設けられている。このＦ２ファン３６が駆動されると、図１、図２に矢印で示すように、Ｆ２エバ３５により生成された冷気が、切替室用蒸発器室３８の上部から送風ダクト２８を通して吹出口２８ａから切替室８に供給され、貯蔵物の冷却に供された後、再び切替室用蒸発器室３８内の下部に戻されるという循環が行われるようになっている。
【００１９】
尚、冷蔵庫本体１の下端部背面部には、機械室３９が設けられており、この機械室３９内に圧縮機（図４参照）４０や、その圧縮機４０及び後述する凝縮器４１を冷却するためのファン（図示せず）等が設けられている。
【００２０】
図４は、冷蔵庫本体１に組込まれる冷凍サイクル４２の概略的構成を示している。この冷凍サイクル４２は、圧縮機４０、凝縮器４１、冷媒流量調整手段たる切替弁４３を順次配管により接続すると共に、この切替弁４３と圧縮機４０との間に、キャピラリチューブ４４及びＦ１エバ３３を直列接続した配管と、キャピラリチューブ４５及びＦ２エバ３５を直列接続した配管と、キャピラリチューブ４６及びＲエバ３１を直列接続した配管とを並列に接続して構成されている。
【００２１】
詳細には、前記切替弁４３は、１個の入口４３ａと、第１，第２，第３の３個の出口４３ｂ，４３ｃ，４３ｄを有し、入口４３ａから流入した冷媒を、３個の出口４３ｂ，４３ｃ，４３ｄのいずれかに選択的に流出させるように切替えるように構成されている。切替弁４３の第１〜３出口４３ｂ〜４３ｄに夫々キャピラリチューブ４４〜４６が接続されていて、切替弁４３が第１出口４３ｂ側に切替えられているときには、圧縮機４０の駆動により冷媒が凝縮器４１等を通った後、キャピラリチューブ４４を通ってＦ１エバ３３に供給され、圧縮機４０に戻されるようになっている（冷凍室冷却モード）。これに対し、切替弁４３が第２出口４３ｃ側、或いは第３出口４３ｄ側に切替えられているときには、第２出口４３ｃ側から流出する冷媒はキャピラリチューブ４５を通ってＦ２エバ３５に供給され（切替室冷却モード）、或いは第３出口４３ｄ側から流出する冷媒はキャピラリチューブ４６を通ってＲエバ３１に供給されるようになっている（冷蔵室冷却モード）。
【００２２】
冷蔵庫本体１には、図５に示すように、マイコンを主体として構成される制御装置４７が設けられている。この制御装置４７には、前記冷蔵室温度センサ１８、冷凍室温度センサ２２、切替室温度センサ２７、設定操作部２９等からの信号が入力されるようになっている。また、制御装置４７は、それら入力信号に基づいて、Ｒファン３２、Ｆ１ファン３４、Ｆ２ファン３６、切替弁４３、圧縮機４０等を制御するようになっている。
【００２３】
さて、次の作用説明（フローチャート説明）でも述べるように、制御装置４７は、そのソフトウエア的構成（運転制御プログラムの実行）により、冷凍室７、切替室８、冷蔵室１０の各室を設定温度（目標温度）となるように冷却運転を行う。このとき、制御装置４７は、切替弁４３の切替えにより、上記冷凍室冷却モード、切替室冷却モード、冷蔵室冷却モードを順に実行するサイクルを繰返す。そして、その際のモードの切替えは、各温度センサ１８，２２，２７の検出温度及び時間制御に基づいて行われる。具体的には、各室７，８，１０に関して、夫々、目標温度に対して所定の温度幅でＯＮ温度及びＯＦＦ温度が設定される。各モードを実行するに際し、その室７，８，１０の温度センサ１８，２２，２７の検出温度がＯＮ温度以上であれば、そのモードの冷却運転を実行する。ＯＮ温度未満であれば次のモードに移行する。各モードの実行中に、温度センサ１８，２２，２７の検出温度がＯＦＦ温度を下回る或は所定時間が経過すると、次のモードに移行する。全ての室７，８，１０がＯＮ温度未満であれば圧縮機４０を停止させるといった制御を行う。
【００２４】
尚、前記切替室８は、使用者の設定操作部２９の操作により、冷凍室（例えば−１７℃）、パーシャル室（例えば−３℃）、チルド室（例えば０〜１℃）、ソフト冷凍室（例えば−９℃）のいずれかの温度帯に、選択的に切替えられるようになっている。
【００２５】
次に、上記構成の作用について、図６も参照しながら説明する。ここでは、切替室８が前記パーシャル室の温度帯に設定されている場合を例とする。
図６のフローチャートは、前記冷却運転において制御装置４７が実行する処理手順を示している。即ち先ず、ステップＳ１にて、冷凍室温度センサ２２の出力信号により冷凍室７内の温度が検出され、この検出温度Ｆ１が冷凍室７のＯＮ温度（例えば−１８℃）以上であるか否かが判断される。ここで、検出温度Ｆ１がＯＮ温度以上であると判断されると（Ｙｅｓ）、ステップＳ２に移行して、圧縮機４０及びＦ１ファン３４が駆動されると共に切替弁４３が切替えられて冷凍室冷却モードによる冷却運転が実行される。この場合、前述したように、Ｆ１エバ３３により生成された冷気が、冷凍室７及び製氷室９を冷却する。尚、このとき、製氷皿２４は、熱伝導部材１７からの輻射冷却により更に冷却されることによって製氷が促進される。
【００２６】
そして、ステップＳ３では、検出温度Ｆ１が冷凍室７のＯＦＦ温度（例えば−２２℃）を下回っているか否かが判断される。ここで、検出温度Ｆ１がＯＦＦ温度を下回っていない場合には（Ｎｏ）、ステップＳ４に移行して、冷凍室冷却モードによる冷却運転の開始から所定時間（例えば３０分）経過したか否かが判断される。所定時間経過していなければ（Ｎｏ）、この冷凍室冷却モードによる冷却運転が継続される（ステップＳ２に戻る）。これに対し、ステップＳ３、或いはステップＳ４にて、検出温度Ｆ１がＯＦＦ温度を下回った、或いは該冷却運転の開始から所定時間経過した場合には、Ｆ１ファン３４が停止され、次の冷却（モード）に移行（ステップＳ５に移行）される。また、前記ステップＳ１にて検出温度Ｆ１が冷凍室７のＯＮ温度未満であった場合には、冷凍室冷却モードを実行することなくステップＳ５に移行される。
【００２７】
ステップＳ５において、切替室温度センサ２７の出力信号により切替室８内の温度が検出され、この検出温度Ｆ２がＯＮ温度（例えば−１℃）以上か否かが判断される。ここで、検出温度Ｆ２がＯＮ温度以上であると判断されると（Ｙｅｓ）、ステップＳ６に移行して、切替室冷却モードによる冷却運転、つまり圧縮機４０及びＦ２ファン３６の駆動、並びに切替弁４３の流路の切替えが行われる。これにより、Ｆ２エバ３５によって生成された冷気が、切替室８を冷却する。
【００２８】
そして、ステップＳ７では、検出温度Ｆ２が前記パーシャル室のＯＦＦ温度（例えば−５℃）を下回っているか否かが判断される。ここで、検出温度Ｆ２がＯＦＦ温度を下回っていない場合には（Ｎｏ）、ステップＳ８に移行して、切替室冷却モードによる冷却運転の開始から所定時間（例えば２０分）経過したか否かが判断される。所定時間経過していなければ（Ｎｏ）、この切替室冷却モードによる冷却運転が継続される（ステップＳ６に戻る）。これに対し、ステップＳ７、或いはステップＳ８にて、検出温度Ｆ２がＯＦＦ温度を下回った、或いは該冷却運転の開始から所定時間経過した場合には、Ｆ２ファン３６が停止され、次の冷却（モード）に移行（ステップＳ９に移行）される。また、前記ステップＳ５にて検出温度Ｆ２がＯＮ温度未満であった場合には、切替室冷却モードを実行することなくステップＳ９に移行される。
【００２９】
ステップＳ９において、冷蔵室温度センサ１８の出力信号により冷蔵室１０内の温度が検出され、この検出温度Ｒが冷蔵室１０のＯＮ温度（例えば４℃）以上か否かが判断される。ここで、検出温度ＲがＯＮ温度以上であると判断されると（Ｙｅｓ）、ステップＳ１０に移行して、冷蔵室冷却モードによる冷却運転、つまり圧縮機４０及びＲファン３２の駆動、並びに切替弁４３の流路の切替えが行われる。この場合、前述したように、Ｒエバ３１により生成された冷気が冷蔵室１０を冷却すると共に、野菜室１１の天井部を構成する熱伝導部材１７を冷却する。このため、野菜室１１は、冷蔵室１０からの熱伝導及び熱伝導部材１７からの輻射冷却により冷却される。
【００３０】
そして、ステップＳ１１では、検出温度Ｒが冷蔵室１０のＯＦＦ温度（例えば２℃）を下回っているか否かが判断される。ここで、検出温度ＲがＯＦＦ温度を下回っていない場合には（Ｎｏ）、ステップＳ１２に移行して、冷蔵室冷却モードによる冷却運転の開始から所定時間（例えば１５分）経過したか否かが判断される。所定時間経過していなければ（Ｎｏ）、この冷蔵室冷却モードによる冷却運転が継続される（ステップＳ１０に戻る）。これに対し、ステップＳ１１、或いはステップＳ１２にて、検出温度ＲがＯＦＦ温度を下回った、或いは該冷却運転の開始から所定時間経過した場合には、圧縮機４０及びＲファン３２を停止させ、切替弁４３を全閉モードに保持する。また、前記ステップＳ９にて検出温度Ｒが冷蔵室のＯＮ温度未満であった場合には、ステップＳ１３にて圧縮機４０の運転が停止されステップＳ１に戻る。圧縮機４０の運転停止時には各ファン３２，３４，３６も停止されていることは勿論である。
【００３１】
この圧縮機４０の運転停止時において、冷凍室７は、上記冷却運転により冷却したＦ１エバ３３からの輻射冷却により引続き冷却されるため、冷凍室７及びこれと連通する製氷室９の温度の変動（温度上昇の度合）が小さくなる。また、切替室８も、Ｆ２エバ３５からの輻射冷却効果により、運転停止時の温度の上昇が抑えられる。
【００３２】
このように本実施例によれば、次のような効果を奏する。即ち、縦長の冷凍区画５において、上部の冷却室７及び製氷室９を冷却するための専用のＦ１エバ３３及びＦ１ファン３４を設けると共に、下部の切替室８を冷却するための専用のＦ２エバ３５及びＦ２ファン３６を設けた。これにより、各室７（及び８），９を目的とする温度となるように容易に制御することができると共に、各エバ３３，３５により冷却される領域（冷凍室）が縦方向に小さく済むので送風ダクトが上下に長くなることに起因する冷却温度むらを防止することができる。
【００３３】
各エバ３３，３５により冷却される領域（冷凍室）が縦方向に小さく済むと共に、各エバ３３，３５の輻射冷却による冷却効果も期待できるので、ファン３４，３６の停止時における、各室７，８，９の温度変動（温度上昇）も抑えることができる。
製氷室９をＦ１エバ３３及びＦ１ファン３４により冷却する構成としたので、Ｆ２エバ３５側で製氷室９を冷却する場合と比べて製氷室９内の冷却効率を高めることができる。しかも、熱伝導部材２５を設けたことにより、製氷室９内の冷却効果をより高めて、短時間での製氷が可能となる。
【００３４】
一方、冷蔵区画６においては、冷蔵室１０と野菜室１１との間を熱伝導率の高い熱伝導部材１７により上下に仕切ることによって、野菜室１１内を熱伝導部材１７からの輻射冷却や、熱伝導部材１７の下面に接する野菜室１１内の空気の対流により冷却することがでる。これにより、野菜室１１内の湿度を維持することができる。
【００３５】
冷蔵庫本体１に組込まれる冷凍サイクル４２の構成を、Ｒエバ３１とＦ１エバ３３とＦ２エバ３５とを並列に接続し、それらエバ３１，３３，３５に対する冷媒の流れを切替弁４３により切替えるようにした。これにより、３つのエバ３１，３３，３５に対する制御を簡単に済ませることができる。また、各エバ３３，３５を比較的小型なものとすることができると共に、省電力化を図ることができる。
また、第２の冷凍室を、貯蔵室内の貯蔵温度帯を切替可能な切替室８として構成したが、専用のＦ２エバ３５により冷却することが可能なので任意の温度帯にするための制御が簡単となる。
【００３６】
＜第２実施例＞
図７及び図８は、本発明の第２実施例を示すものであり、第１実施例と異なるところを説明する。なお、上記第１実施例と同一部分には同一符号を付して説明を省略する。
【００３７】
本実施例における冷凍サイクル４８は、第１実施例の冷凍サイクル４２とは以下の点について相違する。即ち、図７に示すように、冷凍サイクル４８においては、冷媒流量調整手段として三方弁４９を備えている。この三方弁４９は、１つの入口４９ａと、第１及び第２の２つの出口４９ｂ及び４９ｃを有し、それら２つの出口４９ｂ，４９ｃを切替えるように構成されている。前記凝縮器４１の出口部に前記入口４９ａが接続されている。そして、三方弁４９の第１出口４９ｂには、キャピラリチューブ４４、Ｆ１エバ３３、キャピラリチューブ（絞り手段に相当）５０、Ｆ２エバ３５が順に配管により接続されている。第２出口４９ｃには、キャピラリチューブ４６、Ｒエバ３１が順に配管により接続されている。冷凍サイクル４８は、このように第１出口４９ｂ側に直列接続した配管と第２出口４９ｃ側に直列接続した配管とを、三方弁４９と圧縮機４０との間において並列に接続して構成されている。
【００３８】
そして、三方弁４９が第１出口４９ｂ側に切替えられているときには、圧縮機４０の駆動により冷媒が凝縮器４１等を通り、キャピラリチューブ４４を介してＦ１エバ３３に供給された後、キャピラリチューブ５０を介してＦ２エバ３５に供給され、圧縮機４０に戻されるようになっている（冷凍区画冷却モード）。これに対し、三方弁４９が第２出口４９ｃ側に切替えられているときには、この出口４９ｃ側から流出する冷媒はキャピラリチューブ４６を通ってＲエバ３１に供給されるようになっている（冷蔵室冷却モード）。
【００３９】
そして、次の作用説明にて述べるように、切替室８に代わる第２の冷凍室は、第１実施例の切替室８とは異なり、冷凍室７よりも低い、例えば約−２８℃の超低温の温度帯とされる。
【００４０】
上記構成の作用について、図８のフローチャートを参照しながら説明する。
先ず、ステップＳ２１にて、冷凍室温度センサ２２の出力信号により冷凍室７内の温度が検出され、この検出温度Ｆ１が冷凍室７のＯＮ温度（例えば−１８℃）以上であるか否かが判断される。ここで、検出温度Ｆ１がＯＮ温度以上であると判断されると（Ｙｅｓ）、ステップＳ２２に移行して、圧縮機４０、並びにＦ１ファン３４及びＦ２ファン３６が駆動されると共に、三方弁４９が切替えられて冷凍区画冷却モードによる冷却運転が実行される。この場合、Ｆ１エバ３３により生成された冷気が冷凍室７及び製氷室９を冷却し、Ｆ２エバ３５によって生成された冷気が第２の冷凍室を冷却する。
【００４１】
このとき、Ｆ２エバ３５に供給される冷媒は、キャピラリチューブ４４を通過する際に一旦減圧され、キャピラリチューブ５０で更に減圧される。このため、第２の冷凍室は、例えば約−２８℃まで冷却されるようになっている。つまり、第２の冷凍室は、その後方に機械室３９が形成されているため比較的容量が小さく、又、専用のＦ２エバ３５によって冷却されるため、キャピラリチューブ５０で冷媒を更に減圧することで、第２の冷凍室を冷凍室７より低い温度に冷却することができるのである。
【００４２】
そして、ステップＳ２３では、検出温度Ｆ１が冷凍室７のＯＦＦ温度（例えば−２２℃）を下回っているか否かが判断される。ここで、検出温度Ｆ１がＯＦＦ温度を下回っていない場合には（Ｎｏ）、ステップＳ２４に移行して、冷凍区画冷却モードによる冷却運転の開始から所定時間（例えば３０分）経過したか否かが判断される。所定時間経過していなければ（Ｎｏ）、この冷凍区画冷却モードによる冷却運転が継続される（ステップＳ２２に戻る）。これに対し、ステップＳ２３、或いはステップＳ２４にて、検出温度Ｆ１がＯＦＦ温度を下回った、或いは該冷却運転の開始から所定時間経過した場合には、Ｆ１ファン３４及びＦ２ファン３６が停止され、次の冷却（モード）に移行（ステップＳ２５に移行）される。また、前記ステップＳ２１にて検出温度Ｆ１が冷凍室７のＯＮ温度未満であった場合には、冷凍区画冷却モードを実行することなくステップＳ２５に移行される。
【００４３】
ステップＳ２５において、冷蔵室温度センサ１８の出力信号により冷蔵室１０内の温度が検出され、この検出温度Ｒが冷蔵室１０のＯＮ温度（例えば４℃）以上か否かが判断される。ここで、検出温度ＲがＯＮ温度以上であると判断されると（Ｙｅｓ）、ステップＳ２６に移行して、冷蔵室冷却モードによる冷却運転、つまり圧縮機４０及びＲファン３２の駆動、並びに切替弁４３の流路の切替えが行われる。この場合、前述したように、Ｒエバ３１により生成された冷気が冷蔵室１０に供給され、冷蔵室１０（及び野菜室１１）内が冷却される。
【００４４】
そして、ステップＳ２７では、検出温度Ｒが冷蔵室１０のＯＦＦ温度（例えば２℃）を下回っているか否かが判断される。ここで、検出温度ＲがＯＦＦ温度を下回っていない場合には（Ｎｏ）、ステップＳ２８に移行して、冷蔵室冷却モードによる冷却運転の開始から所定時間（例えば１５分）経過したか否かが判断される。所定時間経過していなければ（Ｎｏ）、この冷蔵室冷却モードによる冷却運転が継続される（ステップＳ２６に戻る）。これに対し、ステップＳ２７、或いはステップＳ２８にて、検出温度ＲがＯＦＦ温度を下回った、或いは該冷却運転の開始から所定時間経過した場合には、圧縮機４０及びＲファン３２を停止させ、三方弁４９を全閉モードに保持する。また、前記ステップＳ２５にて検出温度Ｒが冷蔵室のＯＮ温度未満であった場合には、ステップＳ２９にて圧縮機４０の運転が停止されステップＳ２１に戻る。圧縮機４０の運転停止時には各ファン３２，３４，３６も停止されていることは勿論である。
【００４５】
このような実施例によれば、上記第１実施例と同様に、縦長の冷凍区画５の上下部における良好な温度制御を行うことができると共に、ファン３４，３６停止時の温度変動を小さく抑制することができるという効果を得ることができる。そして、Ｆ１エバ３３とＦ２エバ３５とを直列接続することで、３つのエバ３１，３３，３５に対する冷媒の流路の切替を三方弁４９で行うことができるので、切替弁４３に比し制御が容易となり、簡単な構成とすることができる。
【００４６】
また、冷凍サイクル４８のＦ１エバ３３とＦ２エバ３５との間に、キャピラリチューブ５０を設けることで、第２の冷凍室を通常の冷凍温度帯より低い温度帯の超低温室とすることができる。
上記実施例では、冷蔵室１０からの熱伝導により野菜室１１を冷却するように構成したが、これに代えて、熱伝導部材１７を省き、冷蔵室１０と野菜室１１とを連通した状態に設け、冷蔵室１０からの冷気により野菜室１１を冷却するように構成しても良い。
【００４７】
前記Ｒファン３２、Ｆ１ファン３４、Ｆ２ファン３６、並びに圧縮機３７を、夫々可変速駆動可能に構成すると共に、各ファン３２，３４，３６、並びに圧縮機３７の回転数を制御することで、各室７〜１１の温度をより適切に制御するようにしてもよい。
前記切替弁４３及び三方弁４９を、夫々の出口４３ｂ〜４３ｄ及び４９ｂ，４９ｃから流出する冷媒流量の調整が可能なように構成し、夫々の冷媒流路の切替えと共にその流量を制御することで、各室７〜１１の温度をより適切に制御するようにしてもよい。
【００４８】
また、本発明は、上記実施例に限定されるものではなく、熱伝導部材１７，２５をステンレス鋼など他の熱伝導率の高い材料で構成する等、要旨を逸脱しない範囲で適宜変更して実施し得る。
【図面の簡単な説明】
【００４９】
【図１】本発明の第１実施例を示すもので、冷蔵庫本体の構成を概略的に示す正面図
【図２】図１のＡ−Ａ線に沿う冷蔵庫の概略的な縦断側面図
【図３】図１のＢ−Ｂ線に沿う冷蔵庫の概略的な縦断側面図
【図４】冷凍サイクルの構成を示す図
【図５】制御装置を中心とした電気的構成を示すブロック図
【図６】制御装置が実行する切替弁の制御手順を示すフローチャート
【図７】本発明の第２実施例を示す図４相当図
【図８】図６相当図
【符号の説明】
【００５０】
図面中、１は冷蔵庫本体、４は断熱仕切壁、５は冷凍区画、６は冷蔵区画、７は冷凍室（第１の冷凍室）、８は切替室（第２の冷凍室）、９は製氷室、３１はＲエバ（冷蔵室用蒸発器）、３２はＲファン（冷蔵室用ファン）、３３はＦ１エバ（第１冷凍室用蒸発器）、３４はＦ１ファン（第１冷凍室用ファン）、３５はＦ２エバ（第２冷凍室用蒸発器）、３６はＦ２ファン（第２冷凍室用ファン）、４２，４８は冷凍サイクル、４３は切替弁（冷媒流量調整手段）、４９は三方弁（冷媒流量調整手段）、５０はキャピラリチューブ（絞り手段）である。
【図１】
2008020159.tif 000003
【図２】
2008020159.tif 000004
【図３】
2008020159.tif 000005
【図４】
2008020159.tif 000006
【図５】
2008020159.tif 000007
【図６】
2008020159.tif 000008
【図７】
2008020159.tif 000009
【図８】
2008020159.tif 000010